(57)【要約】 【課題】  もともと貼り付けられた製品ラベルを隠すことなく、医療等で使用されるアンプルに識別体が取付け可能で、必要に応じて繰り返し使用できる運用コストを低減した識別装置及びその識別体の使用方法を提供すること。【解決手段】  液体又は固体の内容物を収納するアンプル形状の容器の頭部に取付けと取外しが可能な識別体と識別体の識別情報を検出する検出器とで容器又は内容物の識別をする識別装置１０において、透明又は半透明の筒からなる識別体４と筒の内径断面積より断面積が小さい、棒状の押し棒を筒に遊嵌させた識別体４とを備えること。【選択図】  図１
2007215910.tif 000002
【特許請求の範囲】
【請求項１】
液体又は固体の内容物を収納するアンプル形状の容器の頭部に取付けと取外しが可能な識別体と前記識別体の識別情報を検出する検出器とで前記容器又は前記内容物の識別をする識別装置において、前記識別体は、少なくとも一部透明又は半透明の筒からなり、前記アンプル形状の容器の頭部に取付ける構造を有することを特徴とする識別装置。  
【請求項２】
前記識別体は、前記アンプル形状の容器の頭部に取付けて、前記アンプル形状の容器を折り曲げる構造を有することを特徴とする請求項１記載の識別装置。  
【請求項３】
前記識別体は、前記頭部を切り外した時に、前記頭部が前記筒に保持される構造を有することを特徴とする請求項１又は請求項２記載の識別装置。  
【請求項４】
前記識別体が前記頭部に挟持される爪が、前記識別体の内周部に形成されたことを特徴とする請求項１又は請求項２又は請求項３記載の識別装置。  
【請求項５】
前記識別体は、前記筒の内径断面積より断面積が小さい、棒状の押し棒を前記筒に遊嵌させたことを特徴とする請求項１又は請求項２又は請求項３又は請求項４記載の識別装置。  
【請求項６】
前記識別体は、内部メモリーに電子情報を有するＩＣらなる電子タグであることを特徴とする請求項１又は請求項２又は請求項３又は請求項４又は請求項５記載の識別装置。  
【請求項７】
前記識別装置は、前記ＩＣと該ＩＣに接続された外部の受信アンテナからなる電波又は磁界を介して、ＲＦＩＤを用いて情報の取り出し又は情報の書き込みを非接触通信で行うことを特徴とする請求項６記載の識別装置。  
【請求項８】
液体又は固体の内容物を収納するアンプル形状の容器の頭部に取付けと取外しが可能な識別体を折り曲げ、取り外されるアンプルの頭部に取付けて使用する識別体の使用方法において、前記識別体と前記アンプルの頭部にあるくびれ部に取付けられ、前記識別体と前記アンプルの下部とを折り曲げて、前記アンプルを切り外しする工程を含んでなることを特徴とする識別体の使用方法。  
【請求項９】
前記アンプルの頭部を切り外し、前記識別体における前記筒の内側に前記アンプルの頭部を格納し、請求項１記載の識別装置により、前記アンプルの頭部を排出させる工程を含んでなることを特徴とする識別体の使用方法。  
【発明の詳細な説明】
【技術分野】
【０００１】
本発明は、識別装置に関し、特に、医療分野、食品業界、科学研究開発などで使用される液体又は固体を収納したアンプル形状の容器の識別又は容器内の内容物の識別に好適な識別装置及びその識別体の使用方法に関する。
【背景技術】
【０００２】
識別番号を印刷したラベルシールをアンプル本体の胴体部に貼付けたり、マジックペン等で管理番号などの識別番号を予めアンプル本体の胴体部に貼付けたシールに記載する方法は、アンプル形状の容器又は容器内の内容物を識別する従来の一般的な方法であった。
【０００３】
近年、履歴管理の兼ね合いで、医薬品メーカーの製造時点で、管理番号をバーコードで印刷した製品内容表示ラベルを医薬品の薬剤アンプルに貼付けた製品が国内外で実用化されている。また、ＲＦＩＤ機能を有するラベルシールを医薬品に貼付け、ＩＣタグで履歴を管理するシステムの実用化を目指した実証実験が、国内外の各団体で行われている。
【０００４】
また、ＲＦＩＤ機能を有するＩＣタグを医薬品のアンプルの容器部に貼付け、収納物を収納する際に、その収納物を収納すべき引き出しを短時間で特定する（識別する）技術が、特許文献１に開示されている。
【０００５】
【特許文献１】特開２００４−２５６２４２号公報
【発明の開示】
【発明が解決しようとする課題】
【０００６】
溶液又は粉末試料の容器又は容器内の内容物に対しての識別情報を付与する際は、もともと貼り付けられた製品ラベルの占有するスペースが大きいので、新たなラベルシールを貼付けるスペースが十分に確保できないという問題点があった。
【０００７】
また、マジックペンなどで記載できる識別情報は、情報量が少なく、新規の履歴情報を追加できないという不便な問題点があった。
【０００８】
なお、ＲＦＩＤ機能を有するラベルシールを医薬品に貼付けて使用した際には、高価な電子タグを薬剤容器と同時に廃棄することになり、運用コスト増大するという問題点があった。
【０００９】
本発明は、上述した問題点を解決すべくなされたもので、その技術課題は、もともと貼り付けられた製品ラベルを隠すことなく、医療等で使用されるアンプルに識別体を取り付けることが可能で、必要に応じて繰り返し使用できる運用コストを低減した識別装置を提供することである。また、医療等で使用されるアンプル頭部の切り外しの際に、不慮の怪我などの事故を防止できる識別装置およびその識別体の使用方法を提供することである。
【課題を解決するための手段】
【００１０】
上記目的を達成するための第１の発明は、液体又は固体の内容物を収納するアンプル形状の容器の頭部に取付けと取外しが可能な識別体と前記識別体の識別情報を検出する検出器とで前記容器又は前記内容物の識別をする識別装置において、前記識別体は、少なくとも一部透明又は半透明の筒からなり、前記アンプル形状の容器の頭部に取付ける構造を有する識別装置である。
【００１１】
上記目的を達成するための第２の発明は、前記識別体は、前記アンプル形状の容器の頭部に取付けて、前記アンプル形状の容器を折り曲げる構造を有する識別装置である。
【００１２】
上記目的を達成するための第３の発明は、前記識別体は、前記頭部を切り外した時に、前記頭部が前記筒に保持される構造を有する識別装置である。
【００１３】
上記目的を達成するための第４の発明は、前記識別体が前記頭部に挟持される爪が、前記識別体の内周部に形成された識別装置である。
【００１４】
上記目的を達成するための第５の発明は、前記識別体は、前記筒の内径断面積より断面積が小さい、棒状の押し棒を前記筒に遊嵌させた識別装置である。
【００１５】
上記目的を達成するための第６の発明は、前記識別体は、内部メモリーに電子情報を有するＩＣからなる電子タグで構成される識別装置である。
【００１６】
上記目的を達成するための第７の発明は、前記識別装置は、前記ＩＣと該ＩＣに接続された外部の受信アンテナからなる電波又は磁界を介して、ＲＦＩＤを用いて情報の取り出し又は情報の書き込みを非接触通信で行う識別装置である。
【００１７】
上記目的を達成するための第８の発明は、液体又は固体の内容物を収納するアンプル形状の容器の頭部に取付けと取外しが可能な識別体を折り曲げ、取り外されるアンプルの頭部に取付けて使用する識別体の使用方法において、前記識別体と前記アンプルの頭部にあるくびれ部に取付けられ、前記識別体と前記アンプルの下部とを折り曲げて、前記アンプルを切り外しする工程を含んでな識別体の使用方法である。
【００１８】
上記目的を達成するための第９の発明は、前記アンプルの頭部を切り外し、前記識別体における前記筒の内側に前記アンプルの頭部を格納し、請求項１記載の識別装置により、前記アンプルの頭部を排出させる工程を含んでなる識別体の使用方法である。
【発明の効果】
【００１９】
本発明によれば、液体又は固体の内容物を収納するアンプル形状の容器の頭部に取付けと取外しが可能な識別体と前記識別体の識別情報を検出する検出器とで前記容器又は前記内容物の識別をする識別装置において、透明又は半透明の筒からなり、アンプル形状の容器の頭部に取付ける構造を有する識別体を備えることで、もともとの製品ラベルを隠すことなく医療等で使用されるアンプルに識別体を容易に取付けることを可能にし、アンプル頭部に溜まった薬液を目視で確認できるようにしている。
【００２０】
また、アンプル形状の容器の頭部に取付けて、アンプル形状の容器を折り曲げる識別体の構造は、アンプル形状の容器の頭部に前記識別体を挟持する識別体の内周部にある爪により実現する。
【００２１】
更に、筒の内径断面積より断面積が小さい、棒状の押し棒を筒に遊嵌させた識別体を備えることで、アンプル頭部の切り外しの際に、破断したアンプルの頭部を識別体の筒の内側に一時的に収納でき、アンプルの破断部分に触れることなく、識別体の排出機構で破断したアンプルの頭部を所定の場所に廃棄できる。
【００２２】
その結果、もともと貼り付けられた製品ラベルを隠すことなく、医療等で使用されるアンプルに識別体を取付け可能にし、必要に応じて繰り返し使用できる運用コストを低減した識別装置を提供できる。
【００２３】
また、医療等で使用されるアンプル頭部の切り外しの際に、不慮の怪我などの事故を防止できる識別装置およびその識別体の使用方法を提供できる。
【発明を実施するための最良の形態】
【００２４】
本発明を実施するための最良の形態に係る識別装置およびその識別体の使用方法を以下に図面を参照して詳細に説明する。図１は、本発明の識別装置の識別体における実施の形態の一例を示す外観斜視図である。図２は、本発明の識別装置の識別体をアンプルに取付ける前の実施の形態の一例を示す外観斜視図である。図３は、本発明の識別装置の識別体をアンプルに取付けた実施の形態の一例を示す外観斜視図である。図４は、本発明の識別装置の識別体からアンプル頭部を切り外した実施の形態の一例を示す外観斜視図である。図５は、本発明の識別装置の識別体からアンプル頭部を排出する実施の形態の一例を示す外観斜視図である。図６は、本発明の識別装置の識別体における実施の形態の一例を示す外観断面図である。図７は、本発明の識別装置の識別体をアンプルに取付ける前の実施の形態の一例を示す外観断面図である。図８は、本発明の識別装置の識別体をアンプルに取付けた実施の形態の一例を示す外観断面図である。図９は、本発明の識別装置の識別体からアンプル頭部を切り外した実施の形態の一例を示す外観断面図である。図１０は、本発明の識別装置の識別体からアンプル頭部を排出する実施の形態の一例を示す外観断面図である。
【００２５】
図１と図６に示されるように、本発明の識別装置１０は、膨大な情報を記憶、読み出し、書換えを非接触通信で行えるＲＦＩＤ用ＩＣとアンテナ１とアンプルの頭部の切り外しの際に、破断したアンプルの頭部を識別体の筒の内側に一時的に収納でき、アンプルの破断部分に触れることなく、アンプル頭部を排出できる排出機構２とアンプル頭部を識別体に固定する識別体の爪３を備えた識別体４から構成される。なお、本発明の最良の形態に係る識別装置の識別体では、ＲＦＩＤ、センサノード、バーコード、ラベル（文字が書かれたシール等）が本発明の範疇に入る。
【００２６】
本発明の識別装置１０では、識別体４の円筒形の筒と筒の内周部に形成される識別体の爪３は一体で形成され、透明ＰＥＴ樹脂などの軟質プラスチックで作製される。識別体４の円筒形の筒と筒の内周部に形成される識別体の爪３は、アンプルより硬度が小さいもので、アンプルに傷等の衝撃を与えない材料が好適である。
【００２７】
また、本発明の識別装置におけるアンプルの頭部を排出できる排出機構２は、識別体４及び識別体の爪３に較べて硬質なアクリル樹脂で作製する。なお、本発明の識別装置１０におけるアンプルの頭部を排出できる排出機構２は、識別体４及び識別体の爪３より硬い材料で、傷等の衝撃を与えない材料が好適である。
【００２８】
本発明を実施するための最良の形態では、識別装置の識別体４は、少なくとも一部透明又は半透明の筒形状の筒にすることで、もともとの製品ラベルを隠すことなく医療等で使用されるアンプルに識別体を容易に取付け可能にし、アンプル頭部に溜まった薬液を目視で確認できるようにしている。
【００２９】
また、本発明を実施するための最良の形態では、筒の内径断面積より断面積が小さい、棒状の押し棒を筒に遊嵌させることで、容易に上下に移動できる排出機構２を実現している。
【００３０】
なお、本発明を実施するための最良の形態では、本発明の識別装置１０の識別体４に排出機構２の下部を差し込んだ後に、本発明の識別装置１０の排出機構２の抜け防止のために幅広にした上部の頭の部分を取付けている。
【００３１】
図２と図７に示されるように、識別装置１０の識別体４は、識別体の爪３でアンプルくびれ６を挟む構造になっている。なお、５はアンプルを示し、６はアンプルのくびれを示し、７はアンプル頭部を示す。
【００３２】
また、識別装置１０の識別体４に取付けられたＲＦＩＤ用ＩＣとアンテナ１のＩＣメモリーに溶液又は粉末試料の容器又は容器内の内容物に対する履歴などの識別情報を記憶し、読み出し、書換えを非接触通信で行う。
【００３３】
本発明の識別装置における識別体の使用方法を図３、図４、図５、図８、図９、図１０を用いて説明する。本発明の識別装置１０の識別体４は、識別体の爪３でアンプル５の頭部にあるアンプルくびれ６に取付けられる（図３、図８参照）。アンプル５の頭部にあるアンプルくびれ６近傍を中心にして識別体４とアンプル５の下部とを折り曲げて、アンプル５の頭部の切り外しに使用する（図４、図９参照）。なお、８はアンプルからアンプルの頭部を切り外した後のアンプルの下部を示す。
【００３４】
アンプル５の頭部を切り外した後に、識別体４における筒の内側にアンプル５の頭部を格納し、識別体が少なくとも一部透明又は半透明の筒で、筒の内径断面積より断面積が小さい、棒状の押し棒を筒に遊嵌させた識別体は、アンプル５の頭部を排出させるのに使用する（図５、図１０参照）。
【００３５】
なお、本発明の識別体を使用する場合には、アンプル５の頭部先端を、識別体４の下穴部にアンプル５の頭部先端を挿入して、取付ける。この際、軟質プラスチックで形成される識別体の爪３は、上方向に一時折れ曲がる。しかし、アンプル５を挿入後に、識別体の爪３は、元の状態に戻る（図３、図８参照）。また、アンプル５のアンプルくびれ６が、識別体の爪３にはまり込むと、アンプル５の挿入により、アンプル５の頭部の先端が排出機構２を押し上げて、元の状態になる（図３、図８参照）。
【００３６】
図４、図９に示されるように、アンプル内部の薬剤等を使用する際にアンプル５をアンプル頭部と（アンプル頭部切り外し後の）アンプル下部８に破断分割し、切り外されたアンプル頭部は、識別体４の内部に一時的に収納される。
【００３７】
図５、図１０に示されるように、排出機構２を押し下げることで、破断部分に触れることなく、識別体４に一時的に格納したアンプル頭部７を所定の場所に排出できる。
【００３８】
以上に示したように、もともと貼り付けられた製品ラベルを隠すことなく、医療等で使用されるアンプルに識別体が取付け可能で、必要に応じて繰り返し使用できる運用コストを低減した識別装置を提供できる。
【００３９】
また、医療等で使用されるアンプル頭部の切り外しの際に、不慮の怪我などの事故を防止できる識別装置およびその識別体の使用方法を提供できる。
【図面の簡単な説明】
【００４０】
【図１】本発明の識別装置の識別体における実施の形態の一例を示す外観斜視図。
【図２】本発明の識別装置の識別体をアンプルに取付け前の実施の形態の一例を示す外観斜視図。
【図３】本発明の識別装置の識別体をアンプルに取付けた実施の形態の一例を示す外観斜視図。
【図４】本発明の識別装置の識別体からアンプル頭部を切り外した実施の形態の一例を示す外観斜視図。
【図５】本発明の識別装置の識別体からアンプル頭部を排出する実施の形態の一例を示す外観斜視図。
【図６】本発明の識別装置の識別体における実施の形態の一例を示す外観断面図。
【図７】本発明の識別装置の識別体をアンプルに取付け前の実施の形態の一例を示す外観断面図。
【図８】本発明の識別装置の識別体をアンプルに取付けた実施の形態の一例を示す外観断面図。
【図９】本発明の識別装置の識別体からアンプル頭部を切り外した実施の形態の一例を示す外観断面図。
【図１０】本発明識別装置の識別体からアンプル頭部を排出する実施の形態の一例を示す外観断面図。
【符号の説明】
【００４１】
１    ＲＦＩＤ用ＩＣとアンテナ
２    排出機構
３    識別体の爪
４    識別体
５    アンプル
６    アンプルくびれ
７    アンプル頭部
８    （アンプル頭部切り外し後の）アンプル下部
１０    識別装置
【図１】
2007215910.tif 000003
【図２】
2007215910.tif 000004
【図３】
2007215910.tif 000005
【図４】
2007215910.tif 000006
【図５】
2007215910.tif 000007
【図６】
2007215910.tif 000008
【図７】
2007215910.tif 000009
【図８】
2007215910.tif 000010
【図９】
2007215910.tif 000011
【図１０】
2007215910.tif 000012